(57)【要約】【課題】複数回の風袋引きを行う場合に、各回の計量結果を容易に再確認することができる計量器を提供する。【解決手段】計量器１０は、風袋引き操作を行うことによって基準値を設定し、計量値から基準値を引いた値を求めて表示部１６に表示させる風袋引き機能を備える。風袋引き操作時には表示部１６の表示値が記憶され、計量終了時には、記憶された表示値が表示部１６に再表示される。複数の表示値を再表示する際は、計量の逆順序で又は順序どおりに行う。【選択図】図１
2010122083.tif 000002
【特許請求の範囲】
【請求項１】
風袋引き操作を行うことによって基準値を設定し、計量値から前記基準値を引いた値を求めて表示部に表示させる風袋引き機能を備えた計量器において、
前記風袋引き操作時に、前記表示部の表示値を記憶させ、
計量終了時に、前記記憶させた表示値を前記表示部に再表示させることを特徴とする計量器。
【請求項２】
前記表示値とともに計量の順序を記憶させ、
前記記憶させた計量の順序と逆の順序で、前記表示値を再表示させることを特徴とする請求項１に記載の計量器。
【請求項３】
前記表示値とともに計量の順序を記憶させ、
前記記憶させた計量の順序で、前記表示値を再表示させることを特徴とする請求項１に記載の計量器。
【請求項４】
前記風袋引き操作は、計量値が所定時間安定することにより自動的に行われることを特徴とする請求項１〜３のいずれか１に記載の計量器。
【請求項５】
前記風袋引き操作を自動的に行う自動モードと、スイッチによって手動で行う手動モードとを切り替えるモード切替手段を備えることを特徴とする請求項４に記載の計量器。
【発明の詳細な説明】
【技術分野】
【０００１】
本発明は計量器に係り、特に自動風袋引き機能を備えたキッチン用計量器や電子天秤などの計量器に関する。
【背景技術】
【０００２】
キッチンなどで使用される計量器には通常、風袋引き機能が設けられており、容器などの重量を除いた計量値を表示できるようになっている。この種の計量器には、風袋消去用のスイッチが設けられており、風袋を計量皿に載せた後、スイッチを操作することによって、風袋の重量が記憶されるとともに、表示画面に「０」が表示される。そして、風袋消去後、風袋に被計量物を載置することにより、総計量値から風袋の重量が減算された正味重量が求められ、この値が表示画面に表示される。これにより、被計量物の正味重量を計量することができる。このような風袋引き機能はキッチンで使用される計量器において特に有効であり、複数の材料を計量する際、計量毎に風袋消去用のスイッチを操作することによって、各材料の正味重量を測定することができる。
【０００３】
しかし、風袋消去用のスイッチを有する計量器は、計量毎にスイッチを操作しなければならず、材料が増えるにつれて操作が煩わしくなるという問題や、スイッチを操作し忘れるという問題があった。
【０００４】
このような問題を解消するため、風袋引きを自動で行う計量器が提案されている。たとえば特許文献１の計量器は、秤量皿への被計量物の運搬を非接触スイッチで検知し、自動的に風袋引きが行われるようになっている。この計量器によれば、計量毎に風袋消去用のスイッチを操作する必要がないので、計量を容易に行うことができる。
【０００５】
また、別の計量器では、計量値の安定状態が所定時間続くと自動的に風袋引きが行われるようになっている。この計量器によれば、風袋引きスイッチを操作せずに所定時間待つだけで風袋引きを行うことができ、計量を容易に行うことができる。
【特許文献１】特開平７−２９４３２２号公報
【発明の開示】
【発明が解決しようとする課題】
【０００６】
ところで、複数の材料を順次追加しながら計量する場合、各材料の正味重量を再度確認したいという要望がある。たとえば、キッチン用計量器で多数の材料を計量する場合、順次、材料毎に風袋引きを行うと、途中で一種類の材料を計量し忘れても気づかないという問題がある。このため、複数の材料を計量する場合（すなわち複数回の風袋引きを行う場合）には、各材料の正味重量の計量結果を最後に確認することが必要になる。
【０００７】
しかしながら、上述した従来の自動風袋引き計量器は、各材料の正味重量の計量結果を再確認することができない。この問題を解消するためには、別の表示画面を設け、各材料の正味重量を表示しておくこと等が必要になるが、この場合にはコストが大幅に増加したり、装置が大型化したりするため、キッチン用計量器などの汎用品にはこうした対応策を採ることができない。
【０００８】
本発明はこのような事情に鑑みて成されたもので、複数回の風袋引きを順次行う場合に、各回での計量結果を容易に再確認することができる計量器を提供することを目的とする。
【課題を解決するための手段】
【０００９】
請求項１に記載の発明は前記目的を達成するために、風袋引き操作を行うことによって基準値を設定し、計量値から前記基準値を引いた値を求めて表示部に表示させる風袋引き機能を備えた計量器において、前記風袋引き操作時に、前記表示部の表示値を記憶させ、計量終了時に、前記記憶させた表示値を前記表示部に再表示させることを特徴とする計量器を提供する。
【００１０】
本発明によれば、風袋引き操作時に表示部の表示値（すなわち正味重量の計量結果）を記憶し、計量終了後に表示値を自動的に再表示するので、全ての計量結果を簡単に再確認することができる。また、本発明によれば、再表示を行うだけなので、表示部を新たに設ける必要がなく、コストアップや大型化を防止できる。なお、本発明において「計量終了時」とは、風袋を含む全ての被計量物を計量皿から一括して取り除いた時であり、計量値が零になったことを検出するによって判断することができる。
【００１１】
ちなみに本発明の請求項１を換言すると、本発明は、計量値を求める計量手段と、基準値を記憶するメモリと、前記計量値から前記基準値を引いた値を求める制御部と、前記求めた値または前記計量値を表示する表示部と、前記計量値を前記基準値として前記メモリに記憶させる風袋引き手段と、を備えた計量器であって、前記制御部は、前記風袋引き手段によって風袋引きが行われた際に前記表示部の表示値を前記メモリに記憶させ、計量終了後に前記表示値を前記表示部に再表示させることを特徴とする。
【００１２】
請求項２に記載の発明は請求項１の発明において、前記表示値とともに計量の順序を記憶させ、前記記憶させた計量の順序と逆の順序で、前記表示値を再表示させることを特徴とする。本発明によれば、計量の順序と逆の順序で再表示するので、最新の計量結果をすぐに確認することができる。
【００１３】
請求項３に記載の発明は請求項１の発明において、前記表示値とともに計量の順序を記憶させ、前記記憶させた計量の順序で、前記表示値を再表示させることを特徴とする。本発明によれば、計量の順序どおりに表示値を再表示するので、計量の順序を簡単に確認することができる。
【００１４】
請求項４に記載の発明は請求項１〜３のいずれか１の発明において、前記風袋引き操作は、計量値が所定時間安定することにより自動的に行われることを特徴とする。本発明によれば、計量値が所定時間安定した際に自動的に風袋引きを行うので、作業者は何ら特別な操作を行う必要がない。したがって、たとえば作業者が両手で作業を行っている場合であっても、所定時間待つだけで風袋引き操作を行うことができ、連続した計量を簡単に行うことができる。
【００１５】
請求項５に記載の発明は請求項４の発明において、前記風袋引き操作を自動的に行う自動モードと、スイッチによって手動で行う手動モードとを切り替えるモード切替手段を備えることを特徴とする。本発明によれば、風袋引きの自動モードと手動モードを選択することができる。手動モードを選択した場合には、任意のタイミングで風袋引きを行うことができる。
【発明の効果】
【００１６】
本発明によれば、風袋引き機能を備えた計量器において、風袋引き操作時に表示部の表示値を記憶し、記憶した表示値を計量終了時に自動的に再表示するようにしたので、計量結果を再確認することができる。したがって、たとえばキッチン用の計量器で多数の材料を計量する場合に、各材料の正味重量を計量終了時に再確認することができ、計量漏れを防止することができる。
【発明を実施するための最良の形態】
【００１７】
以下、添付図面に従って本発明に係る計量器の好ましい実施形態について説明する。
図１は第１の実施形態の計量器１０を示す斜視図であり、図２は計量器１０の内部構成を模式的に示すブロック図である。
【００１８】
図１に示すように計量器１０は主として、本体１２及び計量皿１４から成り、本体１２の上面の手前側には表示部１６、電源スイッチ１８、風袋引きスイッチ２０、モード切替スイッチ２２が設けられている。表示部１６は、複数桁の数字を表示できるようになっており、この表示部１６に計量値がデジタル表示される。電源スイッチ１８は、表示部１６の左側に配置されており、電源スイッチ１８を操作することによって電源のオン／オフが操作される。風袋引きスイッチ２０とモード切替スイッチ２２は、表示部１６の右側に並んで配置されており、風袋引きスイッチ２０を操作することによって風袋引き操作が手動で行われ、モード切替スイッチ２２を操作することによって風袋引きの「自動モード」と「手動モード」の切り替え操作が行われる。
【００１９】
計量皿１４は、本体１２の上面に配置されている。また、計量皿１４は、本体１２の内部に設けられたロードセルなどの荷重センサ部２４（図２参照）によって支持される。なお、本実施の形態では、計量皿１４の形状として、平面図で略矩形のものを用いたが、計量皿１４の形状はこれに限定するものではなく、一般に用いられる略円形のものや、略半円形など様々な態様が可能である。また、本実施の形態では計量皿１４（計量部）が本体１２と一体になった一体型のものを示したが、計量皿１４（計量部）を本体１２と分離したセパレート型を用いる態様も可能である。
【００２０】
図２に示すように、本体１２の内部には、荷重センサ部２４、A／D変換部２６、制御部２８、メモリ３０、電源３２及びタイマー３４が設けられている。
【００２１】
メモリ３０は、各種のデータが記憶される部分であり、たとえば、風袋引き操作時に計量値が「基準値」としてメモリ３０に記憶され、以降の風袋引きの演算に利用される。またメモリ３０には、風袋引き操作時（または操作直前）の表示部１６に表示された表示値が記憶される。なお、複数回の風袋引き操作を行う場合には、「表示値」とともに「計量の順序」が記憶される。
【００２２】
電源３２は、電気系各部へ電力を供給する部分であり、たとえば乾電池が用いられる。電源３２は制御装置２８に接続されており、制御装置２８によって制御される。制御装置２８には電源スイッチ１８が接続されており、電源スイッチ１８が操作されることによって、電力の供給の開始／停止（すなわち電源３２のオン／オフ）が制御される。なお、電源３２の種類は乾電池に限定するものではなく、充電式電池、ＡＣアダプターやソーラーバッテリであってもよい。また、電源３２は、無操作状態が所定時間（たとえば数分間）続いた場合にも自動的にオフになるようになっている。
【００２３】
タイマー３４は、計量値が安定した時間を計測する部分であり、制御装置２８に接続されている。計量値の安定が所定時間（たとえば数秒）続いた場合には、後述するように風袋引き操作が自動的に行われる。なお、タイマー３４は、オートパワーオフ機能における無操作状態の時間計測にも使用される。
【００２４】
荷重センサ部２４は、計量皿１４（図１参照）で受けた荷重をアナログ信号に変換する部分であり、A／D変換部２６を介して制御装置２８に接続されている。したがって、荷重センサ部２４から出力されたアナログ信号は、A／D変換部２６でデジタル信号に変換された後、制御装置２８に入力される。
【００２５】
制御装置２８は、A／D変換部２６、タイマー３４、電源スイッチ１８、風袋引きスイッチ２０、モード切替スイッチ２２からの信号に基づいて、各種の演算と、各部の動作の制御を行う。たとえば制御装置２８は、A／D変換部２６からの信号を荷重に換算し、その換算値を計量値として表示部１６にデジタル表示させる。これにより、通常の計量が行われる。
【００２６】
また、制御装置２８は、モード切替スイッチ２２の操作に基づいて、風袋引きの「手動モード」と「自動モード」とを切り替える。「手動モード」では、風袋引きスイッチ２０が操作されるたびに風袋引き操作を行う。一方、「自動モード」では、A／D変換部２６とタイマー３４からの信号に基づいて風袋引き操作を自動的に行う。具体的には、A／D変換部２６の信号によって求められた計量値が変化しない場合にその時間をタイマー３４からの信号によって計測し、計測時間が所定時間（たとえば数秒）に達した際に風袋引き操作を自動的に行う。「手動モード」「自動モード」のいずれの場合にも、風袋引き操作時に計量値を「基準値」としてメモリ３０に記憶させるとともに、表示部１６に「０」を表示させる。さらに制御装置２８は、その後の計量において、メモリ３０に記憶された「基準値」と現在の計量値とを比較し、現在の計量値から「基準値」を減算した値（以下、「正味重量」という）」を求める。そして、求めた「正味重量」を表示部１６に表示させる。これにより、正味重量の計量結果を表示部１６の表示から把握することができる。
【００２７】
また、制御装置２８は、風袋引き操作時（または操作直前）の表示部１６の表示値（すなわち、正味重量の計量結果）をメモリ３０に記憶させる。なお、風袋引き操作を複数回行う場合には、「表示値」とともに、計量の順序をメモリ３０に記憶させる。
【００２８】
さらに制御装置２８は、A／D変換部２６からの信号に基づいて、計量が終了したか否か（すなわち、計量値が零になったか否か）を判別する。計量値が零になった状態は、計量皿１４から全ての被計量物が取り除かれた状態なので、計量が終了したと判断する。そして、制御装置２８は、計量が終了したと判断した際に、メモリ３０に記憶された「表示値」を表示部１６に再表示させる。このとき、メモリ３０に複数の「表示値」が記憶されている場合は、計量の順序と逆の順序で、且つ、所定の時間間隔で（たとえば２秒間隔で）、複数の表示値を連続して再表示させる。これにより、「表示値」すなわち正味重量の計量結果を順に再確認することができる。
【００２９】
次に計量器１０の制御フローについて説明する。
まず、電源スイッチ１８を操作する。これにより、装置の初期化などの初期動作が行われる。その際、表示部１６に「０」が表示されるとともに、以降の演算で使用される「基準値」として「０」が設定される。
【００３０】
次に、モード切替スイッチ２２でモードを選択する。すなわち、モード切替スイッチ２２を操作して風袋引きの「自動モード」とするか、操作せずに「手動モード」とするかを選択する。なお、モード切替スイッチ２２が操作されない場合を「自動モード」とし、モード切替スイッチ２２または風袋引きスイッチ２０が操作された場合を「手動モード」として設定してもよい。
【００３１】
最初に「自動モード」について説明する。「自動モード」では、計量皿１４に被計量物等が載置されることによって、計量が自動的に実施される。その際、制御装置２８は、計量値と、メモリ３０に記憶された「基準値（初回の計量では零）」とを比較し、現在の計量値から基準値を除算した「正味重量」を求める。これにより求められた値が表示部１６に表示される。
【００３２】
次に制御装置２８は、「自動風袋引き」を行うか否かを判断する。具体的には、計量値が安定した際にタイマー３４による時間計測を開始し、その安定状態が所定時間（たとえば数秒）に達したか否かを判断する。所定時間に達していない場合は、「自動風袋引き」を実施せずに前述の計量動作に戻り、所定時間に達した場合に「自動風袋引き」を実施する。「自動風袋引き」では、風袋引き操作時の「表示値」（すなわち正味重量の計量結果）を計量の順序とともにメモリ３０に記憶し、さらに表示部１６に「０」を表示させる。さらに、その際の計量値を「基準値」としてメモリ３０に記憶し、以降の風袋引きの演算に利用する。このように自動風袋引き操作を行った後、前述の計量動作に戻る。これにより、計量を再度行った際に、それまでの重量を引いた正味重量が表示部１６に表示される。
【００３３】
ところで、前述の計量を行った際、その計量値によって制御装置２８は「計量が終了したか否か」を判別する。すなわち、計量値が零になったか否かを判別し、零になった場合には、計量皿１２から全ての被計量物が取り除かれて計量が終了したと判断する。計量が終了したと判断した場合は、メモリ３０に記憶された「表示値」を表示部１６に再表示させる。このとき、メモリ３０に複数の「表示値」が記憶されている場合は、計量の順序と逆の順序で再表示を行い、所定の時間間隔で（たとえば２秒間隔で）複数の「表示値」を連続して再表示する。これにより、計量後に全ての表示値（すなわち正味重量の計量結果）を表示部１６で再確認することができる。
【００３４】
次に、「手動モード」を選択した場合について説明する。「手動モード」は、風袋引き操作を手動で行う以外、「自動モード」と同様の操作を行う。すなわち、計量皿１４に被計量物等を載置することによって、計量が自動的に実施される。制御装置２８は、その際の計量値と、メモリ３０に記憶された「基準値（初回の計量では零）」とを比較し、現在の計量値から基準値を除算した「正味重量」を求める。これにより、求められた値が表示部１６に表示される。
【００３５】
手動風袋引き操作、すなわち風袋引きスイッチ２０が操作されると、その際の表示部１６の「表示値」が計量の順序とともにメモリ３０に記憶され、さらに表示部１６に「０」が表示される。また、その際の計量値が「基準値」としてメモリ３０に記憶され、以降の風袋引きの演算に利用される。このようにして手動の風袋引き操作を行った後、前述の計量動作に戻る。これにより、計量を再度行った際にそれまでの重量を引いた正味重量が表示部１６に表示される。
【００３６】
手動モードの際も自動モードと同様に、計量値によって「計量が終了したか否か」を判別する。すなわち、計量値が零になったか否かを判別し、零になった場合には、計量皿１２から全ての被計量物が取り除かれて計量が終了したと判断する。計量が終了したと判断した場合、メモリ３０に記憶された「表示値」が表示部１６に再表示される。このとき、メモリ３０に複数の「表示値」が記憶されている場合は、計量の順序と逆の順序で再表示を行い、所定の時間間隔で（たとえば２秒間隔で）複数の「表示値」が連続して再表示される。これにより、計量後に全ての表示値（すなわち正味重量の計量結果）を表示部１６で再確認することができる。
【００３７】
なお、上述した実施形態では、計量後の表示として「表示値」だけ表示するようにしたが、これに限定するものではなく、たとえば総計量値も表示してもよい。たとえば、計量の終了後、まず、総計量値を所定の時間間隔で表示し、その後に「表示値」を再表示するようにしてもよい。または、「表示値」の再表示を行った後に総計量値を表示するようにしてもよい。これにより、総計量値を計量後に確認することができる。
【００３８】
また、上述した実施形態では、「自動モード」と「手動モード」の両方で、計量後の再表示を行うようにしたが、これに限定するものではなく、「自動モード」と「手動モード」のいずれか一方で再表示を行い、他方は再表示を行わずに終了してもよい。
【００３９】
次に上記の如く構成された計量器１０の作用について図３（ａ）〜図３（ｋ）に従って説明する。図３（ａ）〜図３（ｋ）の上段は、自動風袋引きを行う際の計量器１４の平面図を模式的に示しており、下段はその際の表示部１６の表示画面を示している。
【００４０】
図３（ａ）は計量の開始前の状態を示している。したがって、表示部１６の表示画面には「０」が表示されている。図３（ｂ）は、計量皿１４に２０ｇの風袋４０を載置した状態を示している。したがって、表示部１６には風袋４０の重量である「２０」が表示される。この状態で所定時間（たとえば数秒）待つことによって自動風袋引きが行われる。すなわち、メモリ３０に「２０」が記憶されるとともに、図３（ｃ）に記載されるように表示部１６に「０」が表示される。
【００４１】
図３（ｄ）は、計量皿１４に１００ｇの被計量物４２を載置した状態を示している。このとき、表示部１６には、風袋引き後の値（すなわち、被計量物４２の正味重量）として「１００」が表示される。この状態で所定時間（たとえば数秒）待つことによって自動風袋引きが行われる。すなわち、メモリ３０に「１００」が記憶されるとともに、図３（ｅ）に記載されるように表示部１６に「０」が表示される。
【００４２】
図３（ｆ）は、計量皿１４に２００ｇの被計量物４４を載置した状態を示している。このとき、表示部１６には、風袋引き後の計量値（すなわち、被計量物４４の正味の重量）として「２００」が表示される。この状態で所定時間（たとえば数秒）待つことによって自動風袋引きが行われる。すなわち、メモリ３０に「２００」が記憶され、図３（ｇ）に記載の如く表示部１６に「０」が表示される。以下、他の被計量物を連続して計量する場合には、これらの操作（図３（ｄ）と図３（ｅ）の操作、または、図３（ｆ）と図３（ｇ）の操作）を繰り返す。
【００４３】
図３（ｈ）〜図３（ｋ）は、全ての被計量物（風袋４０、被計量物４２、被計量物４４）を計量皿１４から取り外し、計量を終了した状態を示している。このとき図３（ｈ）に示すように、表示部１６にはまず、最新の計量時に計量された被計量物４４の正味重量「２００」が表示される。次に、その前の計量時に計量された被計量物４２の正味重量「１００」が表示される。そして、最初の計量時に計量された風袋４０の正味重量「２０」が表示される。最後に「０」が表示されて終了する。したがって、計量を終了した際、「２００」、「１００」、「２０」「０」の順で表示部１６に再表示が行われる。
【００４４】
なお、図３（ａ）〜図３（ｋ）は、被計量物４２、４４を計量皿１４上に加えながら計量する加算計量の例であるが、計量方法はこれに限定するものではなく、計量皿１４から被計量物を取り除きながら計量する減算計量にも適用することができる。たとえば、粒状体から成る所定量の被計量物（不図示）を計量皿１４に載置した後、表示部１６の表示値を見ながら被計量物を取り除いて計量するようにしてもよい。この場合にも、風袋引きによって正味重量を計量することができる。さらに風袋引きをした際の表示値（すなわち正味重量）を記憶し、この記憶した表示値が計量終了後に表示部１６に再表示することによって、計量結果を計量終了後に確認することができる。
【００４５】
このように本実施の形態は、計量後に全ての正味重量の計量結果を再表示するようにしたので、風袋４０、被計量物４２、被計量物４４の計量結果を簡単に再確認することができる。したがって、多数回の計量を連続して行う場合であっても、計量漏れが発生することを防止できる。
【００４６】
また、本実施の形態では、計量の順序と逆の順序で再表示を行うようにしたので、最新の計量結果がすぐに再表示され、最新の計量結果をすぐに再確認することができる。特に自動モードの際は自動的に風袋が行われることによって表示が零になるが、本実施の形態によれば、最新の計量結果をすぐに再確認できる。
【００４７】
さらに、本実施の形態の計量器１０は、表示部１６ｂに再表示を行うだけなので、表示部１６を増やす必要がなく、コストアップや大型化を防止できる。
【００４８】
なお、上述した実施形態では、計量の順序と逆の順序で再表示を行うようにしたが、計量の順序どおりに再表示してもよい。すなわち、図３（ａ）〜図３（ｋ）に示す例において、「２０」、「１００」、「２００」の順序で再表示してもよい。この場合には、作業順序を容易に再確認することができる。さらには、再表示の順序を選択できるようにしてもよい。たとえば、計量の順序どおりに再表示する処理と、計量の逆の順序で再表示する処理とを選択する選択スイッチを設け、再表示の順序を選択できるようにしてもよい。その場合、どちらの順序が選択されたかを認識できるような機能、たとえば、本体１２に再表示の順序を示すランプを設けて点灯させたり、表示部１６に再表示の順序を示す表示を行ったりしてもよい。
【００４９】
また、計量の順序そのもの（すなわち何回目の風袋引きであるか）が分かるような表示機能を設けてもよい。たとえば、風袋引きを行う際、何回目の風袋引きか（１回目、２回目、３回目・・・）を記憶し、再表示を行う際にその表示値が何回目の風袋引きであるかを同時に表示部１６に表示するようにしてもよい。これにより、計量の順序と表示値とを同時に再確認することができる。
【００５０】
さらに、特定回数の風袋引きを他の風袋引きと区別して認識させるような機能を設けてもよい。たとえば、一回目の風袋引き（または一回目と二回目の風袋引き）を、皿などの「風袋」として特別に認識させてもよい。この場合、複数の材料の総計量値（すなわち、皿などの「風袋」のみを除いた値）を必要に応じて求めることができる。求めた「複数の材料の総計量値」は、計量終了時や所定のスイッチなどを操作した時などに表示部１６に表示してもよい。
【００５１】
なお、表示部１６、電源スイッチ１８、風袋引きスイッチ２０、モード切替スイッチ２２の配置は上述の例に限定されるものではなく、様々な態様が可能である。たとえば、モード切替スイッチ２２をスライド式のスイッチとして本体１２の側面や裏面に設けてもよい。
【００５２】
また、スイッチの数や各スイッチに割り当てる機能も上記の例に限定されるものではなく、様々な態様が可能である。たとえば図４に別の実施形態の計量器５０を示すように、操作スイッチとして電源スイッチ１８と風袋引きスイッチ２０のみを設け、モード切替スイッチを省いた態様も可能である。この場合、モード切替スイッチ２２の機能を風袋引きスイッチ２０や電源スイッチ１８に振り分けるとよい。たとえば、風袋引きスイッチ２０を長押しすることによってモードを切り替えたり、風袋引きスイッチ２０と電源スイッチ１８とを同時に押すことによってモードを切り替えたりするとよい。
【図面の簡単な説明】
【００５３】
【図１】実施の形態の計量器を示す斜視図
【図２】計量器の内部構成を模式的に示すブロック図
【図３】計量器の作用を示す説明図
【図４】他の実施形態の計量器を示す斜視図
【符号の説明】
【００５４】
１０…計量器、１２…本体、１４…計量皿、１６…表示部、１８…電源スイッチ、２０…風袋引きスイッチ、２２…モード切替スイッチ、２４…荷重センサ部、２６…A／D変換部、２８…制御部、３０…メモリ、３２…電源、３４…タイマー、４０…風袋、４２…被計量物、４４…被計量物
【図１】
2010122083.tif 000003
【図２】
2010122083.tif 000004
【図３】
2010122083.tif 000005
【図４】
2010122083.tif 000006